(57)【要約】【課題】  車両の燃費を表示可能な車両用表示装置において、利用者が瞬時に実際の運転状況と燃費との関係を確認でき、燃費に配慮した運転の実施を支援することが可能な車両用表示装置を提供する。【解決手段】  車両のエンジン回転数を示す回転表示部１１と前記車両の燃費を表示する燃費表示部１２とを少なくとも有する車両用表示装置である。回転表示部１１は、第一の指標部１１ａを第一の指針部１１ｂで指示してエンジン回転数をアナログ表示し、燃費表示部１２は、第二の指標部１２ａを第二の指針部１２ｂで指示して燃費をアナログ表示し、回転表示部１１及び燃費表示部１２のうち一方は他方の内側に重ねて表示されてなる。【選択図】  図２
2009058276.tif 000002
【特許請求の範囲】
【請求項１】
車両のエンジン回転数を示す回転表示部と前記車両の燃費を表示する燃費表示部とを少なくとも有する車両用表示装置であって、
前記回転表示部は、第一の指標部を第一の指針部で指示してエンジン回転数をアナログ表示し、前記燃費表示部は、第二の指標部を第二の指針部で指示して燃費をアナログ表示し、前記回転表示部及び前記燃費表示部のうち一方は他方の内側に重ねて表示されてなることを特徴とする車両用表示装置。
【請求項２】
前記第一，第二の指針部は、同心円上を回動するように配置されてなることを特徴とする請求項１に記載の車両用表示装置。
【請求項３】
前記回転表示部及び前記燃費表示部はフラットパネルディスプレイからなり、前記フラットパネルディスプレイは前記第一，第二の指標部及び前記第一，第二の指針部を表示してなることを特徴とする請求項１に記載の車両用表示装置。
【請求項４】
前記フラットパネルディスプレイは、前記回転表示部と前記燃費表示部との表示位置を任意に切り換え可能であることを特徴とする請求項３に記載の車両用表示装置。
【発明の詳細な説明】
【技術分野】
【０００１】
本発明は、車両情報として特に車両の燃費を表示する車両用表示装置に関するものである。
【背景技術】
【０００２】
車速，エンジン回転数，水温，油圧等の様々な車両に関する情報（以下、車両情報という）を表示する車両用表示装置において、車両情報の一種として車両の燃費情報を表示するものが知られている。
【０００３】
また、燃費の表示方法として、瞬間燃費や平均燃費を数字，バーグラフあるいは折れ線グラフ等で表示するものが知られている（例えば特許文献１，２参照）。また、瞬間燃費と平均燃費を並記し、現在の燃費である瞬間燃費と過去の燃費である平均燃費とを対比して運転時の燃費の良否を運転者が判断できるようにする表示方法もある。
【特許文献１】特開２０００−２０５９２５号公報
【特許文献２】特開２００２−２２５５９３号公報
【発明の開示】
【発明が解決しようとする課題】
【０００４】
しかしながら、単に燃費と他の車両情報の表示を並記するのみであっては実際の運転状況が燃費の良否に与える影響を瞬時に判別することが困難であって、燃費の表示表現としては更なる改良の余地があった。
【０００５】
そこで、本発明は、上述した課題に着目してなされたものであり、車両の燃費を表示可能な車両用表示装置において、利用者が瞬時に実際の運転状況と燃費と関係を確認でき、燃費に配慮した運転の実施を支援することが可能な車両用表示装置を提供することを目的とするものである。
【課題を解決するための手段】
【０００６】
本発明は、前記課題を解決するため、車両のエンジン回転数を示す回転表示部と前記車両の燃費を表示する燃費表示部とを少なくとも有する車両用表示装置であって、前記回転表示部は、第一の指標部を第一の指針部で指示してエンジン回転数をアナログ表示し、前記燃費表示部は、第二の指標部を第二の指針部で指示して燃費をアナログ表示し、前記回転表示部及び前記燃費表示部のうち一方は他方の内側に重ねて表示されてなることを特徴とする。
【０００７】
また、前記第一，第二の指針部は、同心円上を回動するように配置されてなることを特徴とする。
【０００８】
また、前記回転表示部及び前記燃費表示部はフラットパネルディスプレイからなり、前記フラットパネルディスプレイは前記第一，第二の指標部及び前記第一，第二の指針部を表示してなることを特徴とする。
【０００９】
また、前記フラットパネルディスプレイは、前記回転表示部と前記燃費表示部との表示位置を任意に切り換え可能であることを特徴とする。
【発明の効果】
【００１０】
本発明は、車両情報として特に車両の燃費を表示する車両用表示装置に関するものであり、利用者が瞬時に実際の運転状況と燃費との関係を確認でき、燃費に配慮した運転の実施を支援することが可能となる。
【発明を実施するための最良の形態】
【００１１】
以下、本発明を適用した実施形態を添付図面に基づいて説明する。
【００１２】
図１及び図２を用いて車両用表示装置の全体構成を説明する。車両用表示装置は、表示手段１と、車両情報検出手段２と、制御手段３とから主に構成されている。
【００１３】
表示手段１は、ＬＣＤパネルやＥＬパネルあるいはプラズマディスプレイ等のフラットパネルディスプレイからなるものである。また表示手段１は、後述する回転表示部と燃費表示部とを構成する。
【００１４】
車両情報検出手段２は、車両情報を検出するものであり、本実施形態では、少なくとも制御手段３で車両情報として車両のエンジン回転数，車速及び燃料消費量を検出するためのものであって、例えばＴＡパルス，スピードセンサ及び車両側ＥＣＵ（エンジンコントロールユニット）からなる。
【００１５】
制御手段３は、ＣＰＵ，ＲＯＭ，ＲＡＭ及び入出力インターフェイス等を備えたマイクロコンピュータから構成される。制御手段３は、車両情報検出手段２から状態信号を入力し、前記状態信号に基づいて車両情報の計測データを所定の演算処理によって求め、前記計測データに応じた駆動信号を所定周期で表示手段１へ出力して表示手段１を表示駆動させるものである。本実施形態において、制御手段３は、瞬間燃費及び平均燃費を算出するべく車両情報検出手段２から車速及び燃料消費量を示す各状態信号を入力し、車速及び燃料消費量に基づいて瞬間燃費と平均燃費を所定の演算処理によって求める。そして、算出結果に応じた駆動信号を表示手段１へ出力して表示手段１に瞬間燃費及び平均燃費を表示させる。
【００１６】
以上の各部によって車両用表示装置が構成されている。次に、車両用表示装置における表示手段１の回転表示部及び燃費表示部について説明する。
【００１７】
図２は、表示手段１の回転表示部１１及び燃費表示部１２を示すものである。回転表示部１１は、第一の指標部１１ａと、第一の指標部１１ａを指示してエンジン回転数をアナログ表示する第一の指針部１１ｂと、を有する。第一の指標部１１ａ及び第二の指針部１１ｂは全て表示手段１によって表示される表示像である。
【００１８】
第一の指標部１１ａは、複数の指標を含み、エンジン回転数を示すためのスケール（目盛り）となるものである。
【００１９】
第一の指針部１１ｂは、アナログ計器における指針を模した表示像であり、エンジン回転数の変化に応じてその表示位置を回動させ、第一の指標部１１ａの前記各指標を指示して第一の指標部１１ａとの対比判読によりエンジン回転数を表示するためのものである。
【００２０】
燃費表示部１２は、第二の指標部１２ａと、第二の指標部１２ａを指示して瞬間燃費をアナログ表示する第二の指針部１２ｂと、同じく第二の指標部１２ａを指示して平均燃費を表示するバーグラフ１２ｃと、瞬間燃費と平均燃費を切り換えて表示可能なデジタル表示部１２ｄと、を有する。また、燃費表示部１２は、回転表示部１１の内側に位置するように重ねて表示されるものである。なお、第二の指標部１２ａ，第二の指針部１２ｂ，バーグラフ１２ｃ及びデジタル表示部１２ｄは全て表示手段１によって表示される表示像である。
【００２１】
第二の指標部１２ａは、複数の指標を含み、瞬間燃費と平均燃費とを示すための共通のスケール（目盛り）となるものである。
【００２２】
第二の指針部１２ｂは、アナログ計器における指針を模した表示像であり、瞬間燃費の変化に応じてその表示位置を回動させ、第二の指標部１２ａの前記各指標を指示して第二の指標部１２ａとの対比判読により瞬間燃費を表示するためのものである。なお、第一の指針部１１ｂと第二の指針部１２ｂとは、同心円上を回動するように配置される。すなわち、第一，第二の指針部１１ｂ，１２ｂは同一の回転中心を有するように配置される。
【００２３】
バーグラフ１２ｃは、第二の指標部１２ａと重なるように配置され、平均燃費の変化に応じてその長さを変更して第二の指標部１２ａの前記各指標との対比判読により平均燃費を表示するためのものである。
【００２４】
デジタル表示部１２ｄは、瞬間燃費と平均燃費の何れかを切り換えて数字で表示するものである。なお、図２においては、デジタル表示部１１ｄには瞬間燃費が数字表示されている。
【００２５】
また、図２においては、燃費表示部１２が回転表示部１１の内側に位置するように表示される場合が示されているが、表示手段１は、回転表示部１１と燃費表示部１２との表示位置を任意に切り換えることが可能である。すなわち、図３に示すように、回転表示部１１が燃費表示部１２の内側に重ねて表示される表示形態に切り換えることが可能となっている。
【００２６】
かかる車両用表示装置は、エンジン回転数をアナログ表示する回転表示部１１と燃費をアナログ表示する燃費表示部１２とのうち一方を他方の内側に位置するように表示することによって、実際の運転状況（特に燃費の良否に影響の大きいアクセルワーク）と燃費の変動とを利用者が視線を動かすことなく一目で視認することができ、燃費に配慮した運転の実施を支援することが可能となる。また、第一，第二の指針部１１ｂ，１２ｂを同心円上を回動するように配置することによって、それぞれの挙動を一目で認識することができる。
【００２７】
また、表示手段１によって回転表示部１１及び燃費表示部１２を表示し、回転表示部１１と燃費表示部１２との表示位置を任意に切り換え可能とすることによって、状況や利用者の好みに応じてエンジン回転数と燃費のうち注意して監視したい情報の視認性をより高めることができる。
【００２８】
また、本実施形態においては、表示手段１は、回転表示部１１及び燃費表示部１２において、表示像として第一，第二の指標部１１ａ，１２ａ及び第一，第二の指針部１１ｂ，１２ｂを表示するものであったが、例えば表示手段１の前方に実体の指針を第一，第二の指針部として配置する構造であっても本発明の効果を十分に得ることができる。
【図面の簡単な説明】
【００２９】
【図１】本発明の実施形態である車両用表示装置の電気的構成を示す図。
【図２】同上の車両用表示装置の回転表示部及び燃費表示部を示す図。
【図３】同上の車両用表示装置の回転表示部及び燃費表示部を示す図。
【符号の説明】
【００３０】
１    表示手段（フラットパネルディスプレイ）
２    車両情報検出手段
３    制御手段
１１  回転表示部
１１ａ  第一の指標部
１１ｂ  第一の指針部
１２  燃費表示部
１２ａ  第二の指標部
１２ｂ  第二の指針部
１２ｃ  バーグラフ
１２ｄ  デジタル表示部
【図１】
2009058276.tif 000003
【図２】
2009058276.tif 000004
【図３】
2009058276.tif 000005